(57)【特許請求の範囲】
【請求項１】
外壁面に外方へ突出させるドアが設けられた一方の建物のドアの下部位置の躯体に形成された目地プレート支持凹部と、この目地プレート支持凹部と対向する部位に目地部を介して設けられた他方の建物の外側通路に、該目地プレート支持凹部と対応する前記目地部の間隔寸法の約２倍の寸法となるように形成された目地プレートスライド支持凹部と、この目地プレートスライド支持凹部の前記目地部側のほぼ半分を覆い、後端部が前記目地プレート支持凹部に支持される先端下部が突出する傾斜面に形成された目地プレートと、この目地プレートの後端部を前記目地プレート支持凹部に固定、あるいは支持させる目地プレート取付手段と、前記目地プレートで覆われていない前記目地プレートスライド支持凹部を覆うとともに、地震で目地部が狭くなると、先端部が前記目地プレート上へ乗り上げる回動目地プレートと、この回動目地プレートの後端部を先端部が上方へ回動できるように、前記他方の建物に取付ける回動目地プレート取付手段とからなることを特徴とする床用目地装置。
【請求項２】
回動目地プレートの底面は先端部が上方へ大きく突出するのを阻止できるように円弧状の凹部となるように形成されるとともに、先端部に先端部が上下方向に回動するようにカバープレートが取付けられていることを特徴とする請求項１記載の床用目地装置。
【発明の詳細な説明】
【技術分野】
【０００１】
本発明は目地部側に外方へ突出するドアを設けた左右の建物の床部分を接続する床用目地装置に関する。
【背景技術】
【０００２】
従来、この種の床用目地装置は左右の建物の一方の建物の目地部側の床躯体の床面に反目地部側が傾斜面に形成された目地プレートスライド支持凹部と、この目地プレートスライド支持凹部と対応する部位の他方の建物の外壁あるいは床躯体に設けられた目地プレート支持凹部と、この目地プレート支持凹部に後端部が支持され、先端部が前記目地プレートスライド支持凹部をスライド移動可能に覆うように支持された目地プレートとで構成されている。
【０００３】
このため、地震で目地部が狭くなるように左右の建物が揺れ動いた場合、目地プレートの先端部は目地プレートスライド支持凹部の傾斜面に沿って、傾斜面の上端部に乗り上がった傾斜面状態となり、危険な状態になるとともに、目地プレートに沿って他方の建物の外開き用の開閉扉があると、該開閉扉の開閉が不可能になったり、損傷してしまうという欠点があった。
【先行技術文献】
【特許文献】
【０００４】
【特許文献１】特許第３８１３８８０号
【発明の概要】
【発明が解決しようとする課題】
【０００５】
本発明は以上のような従来の欠点に鑑み、目地部が狭くなるように左右の建物が地震で揺れ動いても、外方へ突出するドアが設けられた一方の建物側の目地プレートがほぼ水平状態で移動して、ドアの開閉が不能になったりするのを確実に阻止するとともに、目地プレート上を従来と比べて安全に走行することができる床用目地装置を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は外壁面に外方へ突出させるドアが設けられた一方の建物のドアの下部位置の躯体に形成された目地プレート支持凹部と、この目地プレート支持凹部と対向する部位に目地部を介して設けられた他方の建物の外側通路に、該目地プレート支持凹部と対応する前記目地部の間隔寸法の約２倍の寸法となるように形成された目地プレートスライド支持凹部と、この目地プレートスライド支持凹部の前記目地部側のほぼ半分を覆い、後端部が前記目地プレート支持凹部に支持される先端下部が突出する傾斜面に形成された目地プレートと、この目地プレートの後端部を前記目地プレート支持凹部に固定、あるいは支持させる目地プレート取付手段と、前記目地プレートで覆われていない前記目地プレートスライド支持凹部を覆うとともに、地震で目地部が狭くなると、先端部が前記目地プレート上へ乗り上げる回動目地プレートと、この回動目地プレートの後端部を先端部が上方へ回動できるように、前記他方の建物に取付ける回動目地プレート取付手段とで床用目地装置を構成している。
【発明の効果】
【０００９】
以上の説明から明らかなように、本発明にあっては次に列挙する効果が得られる。
（１）請求項１により、地震で目地部が狭くなっても、一方の建物の外壁面に外方へ突出するドアが設けられていても、該一方の建物に後端部が固定あるいは支持されている目地プレートの先端部が他方の建物の目地プレートスライド支持凹部をスライド移動するだけで、ドアの開閉を不能にする動きをしない。
このため、ドアの開閉を従来のように目地プレートの移動により阻止されるのを確実に防止することができる。    
（２）前記（１）  により、目地プレートが他方の建物の目地プレートスライド支持凹部をスライド移動するだけで、従来のように先端部が上方へ回動することなく、安全に目地プレート上を走行することができる。
（３）前記（１）  により、目地プレートの後端部を一方の建物の外壁面に固定状態で取付けることにより、目地プレートの脱落事故を効率よく阻止でき、安全に使用することができる。
（４）前記（１）  により、目地部の間隔寸法とほぼ同じ大きさの寸法の伸縮移動をしても、ドアの開閉ができ、かつ目地部が開口することなく、その揺れ動きを吸収することができる。
（５）請求項２も前記（１）〜（４）と同様な効果が得られるとともに、地震で目地部が狭くなるように揺れ動いた場合に、回動目地プレートの先端部が大きく上方へ突出するのを円弧状の凹部で阻止することができる。
したがって、より安全に使用することができる。
【図面の簡単な説明】
【００１０】
【図１】本発明を実施するための第１の形態の平面図。
【図２】図１の２−２線に沿う断面図。
【図３】本発明を実施するための第１の形態の目地プレートの説明図。
【図４】本発明を実施するための第１の形態の回動目地プレートの説明図。
【図５】本発明を実施するための第１の形態の目地部が狭くなった動作説明図。
【図６】本発明を実施するための第１の形態の目地部が広くなった動作説明図。
【図７】本発明を実施するための第２の形態の平面図。
【図８】図７の８−８線に沿う断面図。
【図９】本発明を実施するための第２の形態の回動目地プレートの説明図。
【図１０】本発明を実施するための第２の形態の目地部が狭くなった動作説明図。
【図１１】本発明を実施するための第３の形態の平面図。
【図１２】図１１の１２−１２線に沿う断面図。
【図１３】本発明を実施するための第３の形態の回動目地プレートの説明図。
【発明を実施するための形態】
【００１１】
以下、図面に示す本発明を実施するための形態により、本発明を詳細に説明する。
【００１２】
図１ないし図６に示す本発明を実施するための第１の形態において、１は外壁面２に外方へ突出させるドア３が設けられた一方の建物４と、目地部５を介して設けられた他方の建物６とを接続する本発明の床用目地装置で、この床用目地装置１は前記一方の建物４のドア３の下部位置の外壁躯体に形成された目地プレート支持凹部７と、この目地プレート支持凹部７と対向する部位の前記他方の建物６の外側通路８に、該目地プレート支持凹部７と対応する前記目地部５の間隔寸法Ｌの約２倍の寸法となるように形成された目地プレートスライド支持凹部９と、この目地プレートスライド支持凹部９の前記目地部５側のほぼ半分を覆い、後端部が前記目地プレート支持凹部７に支持される先端下部が突出する傾斜面１０に形成された目地プレート１１と、この目地プレート１１の後端部を前記目地プレート支持凹部７に固定状態で取付ける、ボルト１２、１２を用いた目地プレート取付手段１３と、前記目地プレート１１で覆われていない前記目地プレートスライド支持凹部９を覆うとともに、地震で前記目地部５が狭くなると先端部が前記目地プレート１１へ乗り上げる回動目地プレート１４と、この回動目地プレート１４の後端部を先端部が上方へ回動できるように前記他方の建物６の外側通路８に取付けられた回動目地プレート取付手段１５とで構成されている。
【００１３】
前記目地プレート１１は図３に示すように、浅皿状で先端下部が外方へ突出する傾斜面１０に形成された金属材製の目地プレート本体１６と、この目地プレート本体１６の後方両側部に固定された取付ボックス１７、１７と、この取付ボックス１７、１７の底面に形成された透孔１８、１８と、前記目地プレート本体１６内に充填されたモルタルあるいはコンクリート１９と、このモルタルあるいはコンクリート１９の上部に、必要に応じて設置されるタイルやレンガ等の床化粧体２０と、前記取付ボックス１７、１７の上面を覆う蓋体２１、２１とで構成されている。
【００１４】
前記回動目地プレート１４は図４に示すように、浅皿状で先端上部が外方へ突出し、前記目地プレート１１の傾斜面１０と面接触できる傾斜面２２に形成された金属材製の回動目地プレート本体２３と、この回動目地プレート本体２３の後部両側部に固定された取付ボックス２４、２４と、この取付ボックス２４、２４の底面に形成された係合ピン挿入孔２５、２５と、前記回動目地プレート本体２３内に充填されたモルタルあるいはコンクリート２６と、このモルタルあるいはコンクリート２６の上部に、必要に応じて設置されるタイルやレンガ等の床化粧体２７と、前記取付ボックス２４、２４の上面を覆う蓋体２８、２８とで構成されている。
【００１５】
前記回動目地プレート取付手段１５は前記回動目地プレート１４の取付ボックス２４、２４内に先端部が位置する、前記係合ピン挿入孔２５、２５より前記目地プレートスライド支持凹部９に固定されたクサビ状の係合ピン２９、２９で構成されている。
【００１６】
上記構成の床用目地装置１は通常時には目地プレート１１、回動目地プレート１４および他方の建物６の外側通路８の上面とがほぼ同一面で、安全に走行することができるとともに、一方の建物４のドア３を目地プレート１１上へ回動して開閉することができる。
【００１７】
地震で目地部５が狭くなるように一方の建物４と他方の建物６が揺れ動いた場合、図５に示すように一方の建物４と他方の建物６とが近接するため、目地プレート１１の先端部が回動目地プレート１４を押し上げるように回動目地プレート１４方向へスライド移動する。
【００１８】
この時、目地プレート１１は先端部が他方の建物６の目地プレートスライド支持凹部９内をスライド移動するため、平行移動となり、一方の建物４のドア３の開閉のじゃまになる回動がないため、通常時と同様にドア３の開閉を行なうことができる。
【００１９】
また、目地部５がなくなるように、一方の建物４と他方の建物６とが近接しても、回動目地プレート１４の先端部は他方の建物６の目地部５の端部までしか位置しないので、一方の建物４の外壁面２との間に通常時の目地部５の間隔寸法Ｌとほぼ同じ寸法を有し、安全に使用することができる。
【００２０】
地震で目地部５が広くなるように一方の建物４と他方の建物６とが揺れ動いた場合、図６に示すように一方の建物４と他方の建物６とが離れるため、目地プレート１１の先端部が他方の建物６の目地プレートスライド支持凹部９内を目地部５方向にスライド移動して、その揺れ動きを吸収するので、目地プレート１１上を安全に走行することができる。
【００２１】
なお、地震の揺れ動きが停止すると目地プレート１１の後端部が一方の建物４に固定され、回動目地プレート１４の後端部が他方の建物６の外側通路８に回動目地プレート取付手段１５で取付けられているため、自走的に元の状態へ戻る。  
なお、前記目地プレート支持凹部７および前記目地プレートスライド支持凹部９には必要に応じて金属材製の下地材を設置して補強やスライド移動をスムーズにできるようにしてもよい。
【００２２】
［発明を実施するための異なる形態］
次に、図７ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２３】
図７ないし図１０に示す本発明を実施するための第２の形態において、前記本発明を実施するための第１の形態と主に異なる点は、目地プレート１１上へ先端部が乗り上げる時に、先端部が上方へ突出するのを小さくおさえることができるように底面に円弧状の凹部３０を形成した回動目地プレート１４Ａを用いるとともに、該回動目地プレート１４Ａの先端部にヒンジ部材３１を介してカバープレート３２を取付けた点で、このようなカバープレート３２を用いた回動目地プレート１４Ａを用いた床用目地装置１Ａにしても、前記本発明を実施するための第１の形態と同様な作用効果が得られるとともに、地震で目地部５が狭くなっても回動目地プレート１４Ａの円弧状の凹部３０で先端部が大きく上方へ突出するのを防止でき、より安全に使用することができる。
【００２４】
図１１ないし図１３に示す本発明を実施するための第３の形態において、前記本発明を実施するための第２の形態と主に異なる点は、先端部が垂直面に形成した回動目地プレート本体２３Ａおよび、先端部にヒンジ部材３１を介して先端部が上下方向に回動自在なカバープレート３２を用いた回動目地プレート１４Ｂと目地プレート１１の後端部を目地プレート取付手段１３としてのクサビ状の係止ピン３３、３３を用いて目地プレート支持凹部７に取付けた点で、このような回動目地プレート１４Ｂと目地プレート取付手段１３を用いた床用目地装置１Ｂにしても、前記本発明を実施するための第２の形態と同様な作用効果が得られるとともに、一方の建物４と他方の建物６とが異なる上下方向に揺れ動いても、目地プレート１１の先端部が上下方向に回動して、その揺れ動きを吸収することができる。
【産業上の利用可能性】
【００２５】
本発明は外壁に外方へ突出させて開閉するドアが設けられた一方の建物と目地部を介して設けられた他方の建物との間を覆う床用目地装置を製造する産業で利用される。
【符号の説明】
【００２６】
１、１Ａ、１Ｂ：床用目地装置、２：外壁面、
３：ドア、        ４：一方の建物、
５：目地部、        ６：他方の建物、
７：目地プレート支持凹部、  ８：外側通路、
９：目地プレートスライド支持凹部、
１０：傾斜面、      １１：目地プレート、
１２：ボルト、      １３：目地プレート取付手段、
１４、１４Ａ、１４Ｂ：回動目地プレート、
１５：回動目地プレート取付手段、
１６：目地プレート本体、    １７：取付ボックス、    
１８：透孔、        
１９：モルタルあるいはコンクリート、
２０：床化粧体、      ２１：蓋体、
２２：傾斜面、      
２３、２３Ａ：回動目地プレート本体、
２４：取付ボックス、    ２５：係合ピン挿入孔、
２６：モルタルあるいはコンクリート、
２７：床化粧体、      ２８：蓋体、
２９：係合ピン、      ３０：円弧状の凹部、
３１：ヒンジ部材、      ３２：カバープレート、
３３：係止ピン。
【図１】
0005250586.tif 000002
【図２】
0005250586.tif 000003
【図３】
0005250586.tif 000004
【図４】
0005250586.tif 000005
【図５】
0005250586.tif 000006
【図６】
0005250586.tif 000007
【図７】
0005250586.tif 000008
【図８】
0005250586.tif 000009
【図９】
0005250586.tif 000010
【図１０】
0005250586.tif 000011
【図１１】
0005250586.tif 000012
【図１２】
0005250586.tif 000013
【図１３】
0005250586.tif 000014